(57)【要約】【課題】擬似通話時における音声を周囲の状況に適した音量で出力することによって、防犯効果を高めることができる擬似通話装置及び方法を提供する。【解決手段】携帯電話機１は、擬似通話時における音声を外部に出力する外部スピーカ２５と、周囲の音量を検出する周囲音量検出センサ２６と、周囲音量検出センサ２６の検出結果に基づいて、外部スピーカ２５から出力される音声の音量を変更する音量変更制御を行う制御部２７とを備える。ここで、周囲音量検出センサ２６の検出結果を用いて音量変更制御に用いられる閾値を算出する閾値算出部２７ｂが設けられており、制御部２７は、外部スピーカ２５から出力される音声の音量が、閾値算出部２７ｂで算出された閾値よりも大きくなるように音量変更制御を行う。【選択図】図２
2011009943.tif 000002
【特許請求の範囲】
【請求項１】
擬似通話時における音声を出力する出力部と、
周囲の音量を検出する音量検出部と、
前記音量検出部の検出結果に基づいて、前記出力部から出力される音声の音量を変更する音量変更制御を行う制御部と
を備えることを特徴とする擬似通話装置。
【請求項２】
前記音量検出部の検出結果を用いて、前記音量変更制御に用いられる閾値を算出する閾値算出部を備えており、
前記制御部は、前記出力部によって出力される音声の音量が、前記閾値算出部で算出された閾値よりも大きくなるように前記音量変更制御を行う
ことを特徴とする１記載の擬似通話装置。
【請求項３】
前記制御部は、前記音量検出部の検出結果が、予め設定された値以上である場合には、前記出力部によって出力される音声の音量を零にする制御を行うことを特徴とする請求項１又は請求項２記載の擬似通話装置。
【請求項４】
音声を入力する音声入力部を備えており、
前記制御部は、前記音声入力部から入力されて前記出力部から出力される音声の音量を変更する
ことを特徴とする請求項１から請求項３の何れか一項に記載の擬似通話装置。
【請求項５】
前記音声入力部から入力される音声を認識する音声認識部を備えており、
前記制御部は、前記音声認識部で認識された音声に特定の音声が含まれている場合には、前記出力部によって出力される音声の音量を最大にする制御を行う
ことを特徴とする請求項４記載の擬似通話装置。
【請求項６】
操作部を備えており、
前記制御部は、前記操作部の操作によって特定の指示がなされた場合には、前記出力部によって出力される音声の音量を最大にする制御を行う
ことを特徴とする請求項１から請求項５の何れか一項に記載の擬似通話装置。
【請求項７】
擬似通話時における音声を出力する出力ステップと、
周囲の音量を検出する音量検出ステップと、
前記音量検出ステップの検出結果に基づいて、擬似通話時における音声の音量を変更する音量変更ステップと
を有することを特徴とする擬似通話方法。
【発明の詳細な説明】
【技術分野】
【０００１】
本発明は、擬似通話装置及び方法に関する。
【背景技術】
【０００２】
擬似通話装置は、実際の通話を行うことなく擬似的に通話を装うための装置であり、例えば携帯電話機等の携帯性を有する電子機器に設けられる。携帯電話機等を用いて通話が行われている状況下においては、そのユーザは異常が生じた旨や現在の場所を相手方に即座に伝えることができるため、そのユーザに危害を加えようとする者が思い留まることによって犯罪の発生が抑制される。携帯電話機等の電子機器に擬似通話装置を設けることで、通話相手が居ない状況下においても通話を装うことができるため、防犯効果を高めることができる。
【０００３】
以下の特許文献１には、擬似通話装置に加えて防犯ベル機能を備えることによって更に防犯性を高めた携帯電話機が開示されている。この携帯電話機は、擬似通話に関する複数の操作部（擬似着信操作部、擬似応答操作部、及び擬似切断操作部）と防犯ベル機能に関する操作部（防犯ベル操作部）とを備えており、ユーザの操作に応じて擬似通話を行うか、又は防犯ベルを発するかが選択可能である。
【先行技術文献】
【特許文献】
【０００４】
【特許文献１】特開２００２−３４４５７９号公報
【発明の概要】
【発明が解決しようとする課題】
【０００５】
ところで、周囲が騒がしい場合には、携帯電話機のユーザが擬似通話を行ってもその音声が周囲の騒音に掻き消されてしまい、ユーザからある程度離れた場所に位置する第三者に擬似通話の音声が全く聞こえない場合がある。すると、その第三者は、ユーザが携帯電話機に耳を当てて通話をしている素振りをしているだけであると判断してしまい、これによっても防犯効果が低下する虞が考えられる。
【０００６】
本発明は、上記事情に鑑みてなされたものであり、擬似通話時における音声を周囲の状況に適した音量で出力することによって、防犯効果を高めることができる擬似通話装置及び方法を提供することを目的とする。
【課題を解決するための手段】
【０００７】
上記課題を解決するために、本発明の擬似通話装置は、擬似通話時における音声を出力する出力部と、周囲の音量を検出する音量検出部と、前記音量検出部の検出結果に基づいて、前記出力部から出力される音声の音量を変更する音量変更制御を行う制御部とを備えることを特徴としている。
また、本発明の擬似通話装置は、前記音量検出部の検出結果を用いて、前記音量変更制御に用いられる閾値を算出する閾値算出部を備えており、前記制御部は、前記出力部によって出力される音声の音量が、前記閾値算出部で算出された閾値よりも大きくなるように前記音量変更制御を行うことを特徴としている。
また、本発明の擬似通話装置において、前記制御部は、前記音量検出部の検出結果が、予め設定された値以上である場合には、前記出力部によって出力される音声の音量を零にする制御を行うことを特徴としている。
また、本発明の擬似通話装置は、音声を入力する音声入力部を備えており、前記制御部は、前記音声入力部から入力されて前記出力部から出力される音声の音量を変更することを特徴としている。
また、本発明の擬似通話装置は、前記音声入力部から入力される音声を認識する音声認識部を備えており、前記制御部は、前記音声認識部で認識された音声に特定の音声が含まれている場合には、前記出力部によって出力される音声の音量を最大にする制御を行うことを特徴としている。
また、本発明の擬似通話装置は、操作部を備えており、前記制御部は、前記操作部の操作によって特定の指示がなされた場合には、前記出力部によって出力される音声の音量を最大にする制御を行うことを特徴としている。
本発明の擬似通話方法は、擬似通話時における音声を出力する出力ステップと、周囲の音量を検出する音量検出ステップと、前記音量検出ステップの検出結果に基づいて、擬似通話時における音声の音量を変更する音量変更ステップとを有することを特徴としている。
【発明の効果】
【０００８】
本発明によれば、擬似通話時における音声が周囲の状況に適した音量で出力され、これにより犯効果を高めることができるという効果がある。
【図面の簡単な説明】
【０００９】
【図１】本発明の一実施形態による擬似通話装置を備える携帯電話機の外観斜視図である。
【図２】携帯電話機１の要部構成を示すブロック図である。
【図３】携帯電話機１の第１動作例を示すフローチャートである。
【図４】携帯電話機１の第２動作例を示すフローチャートである。
【図５】第２動作例における外部スピーカ２５の音量の経時変化の一例を示す図である。
【図６】携帯電話機１の第３動作例を示すフローチャートである。
【発明を実施するための形態】
【００１０】
以下、図面を参照して本発明の一実施形態による擬似通話装置及び方法について詳細に説明する。尚、本実施形態では、擬似通話装置が携帯電話機に設けられた態様について説明する。図１は、本発明の一実施形態による擬似通話装置を備える携帯電話機の外観斜視図である。図１に示す通り、携帯電話機１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１１】
第二筐体１２の内部には、各種情報を表示する表示領域１４ａを有するＬＣＤ（Liquid Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１２】
第一筐体１１の内部には、テンキー１６ａ、通話キー１６ｂ、終話キー１６ｃ、及び多方向キー１６ｄ等の各種の押下操作可能な複数の操作キーを備えるキー操作部１６及び通話用のマイクロフォン１７が設けられている。尚、上記の通話キー１６ｂは擬似通話機能を動作させるキーとしても用いられ、上記の終話キー１６ｃは携帯電話機１の電源をオン（投入）又はオフ（切断）するための電源キーとしても用いられる。キー操作部１６は、第一筐体１１と第二筐体１２とを相互に重ね合わせた状態において第二筐体１２に対向する第一筐体１１の表面１１ｃから外方に露出している。
【００１３】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板、及びバッテリー（何れも不図示）等が重ねて配されている。また、第一筐体１１内部のには、無線通信用のアンテナ２１及び外部スピーカ２５（図２参照）が収容されている。
【００１４】
図２は、携帯電話機１の要部構成を示すブロック図である。図２に示す通り、携帯電話機１は、図１を用いて説明したスピーカ１５、マイクロフォン１７（音声入力部）、キー操作部１６（操作部）、及び表示部１４に加えて、アンテナ２１、無線通信部２２、タイマ部２３、メモリ２４、外部スピーカ２５（出力部）、周囲音量検出センサ２６（音量検出部）、及び制御部２７を備えており、無線通信ネットワーク（図示省略）を介した通話及び通信のみならず、通話を行うことなく擬似的に通話を装う擬似通話が可能である。
【００１５】
無線通信部２２は、アンテナ２１を介して無線通信システムの一部をなす基地局（図示省略）との間で無線信号の送受信を行うことで、その無線通信システムを利用する他の携帯電話機のユーザとの間の通話を実現するものである。尚、この無線通信部２２は、他のユーザとの間の通話のみならず、電子メールの送受信やホームページの閲覧等も実現可能である。
【００１６】
タイマ部２３は時刻を計時するものであり、現在時刻を示す情報を制御部２７に出力する。また、タイマ部２３は、制御部２７によって指示された時間を指示されたタイミングで計時し、計時を終了した場合にはその旨を示す信号を制御部２７に出力する。メモリ２４は、文字、記号、画像等の各種情報、携帯電話機１の各種機能を実現するプログラム、及び擬似通話のために用いられる音声データを記憶するものであり、例えば不揮発性の半導体メモリによって実現される。
【００１７】
外部スピーカ２５は、第一筐体１１に内蔵されており、各種の音声を音声を外部に発するために用いられる。本実施形態では、擬似通話時における防犯効果を高めるために、擬似通話の音声を周囲に発するためにも用いられる。周囲音量検出センサ２６は、マイクロフォン等の音響電気変換素子を備えており、携帯電話機１の周囲の音量（雑音、騒音等の音量）を検出する。
【００１８】
制御部２７は、図２に示す各ブロックを制御することにより、携帯電話機１の動作を統括的に制御する。例えば、携帯電話機１のユーザによるキー操作部１６の操作に応じて、無線通信部２２を制御することによって通話又は通信を実現する。また、制御部２７は、擬似通話部２７ａ、閾値算出部２７ｂ、及び音声認識部２７ｃを備えており、擬似通話を実現するための制御を行うとともに、擬似通話時に外部スピーカ２５から出力される音声の音量を変更する制御（音量変更制御）を行う。
【００１９】
擬似通話部２７ａは、携帯電話機１のユーザがキー操作部１６に設けられた通話キー１６ｂを操作して擬似通話機能を動作させる指示を行った場合に、メモリ２４に記憶された音声データを順に読み出してスピーカ１５に出力することにより擬似通話を実現する。閾値算出部２７ｂは、周囲音量検出センサ２６の検出結果を用いて、上記の音量変更制御に用いられる閾値を算出する。
【００２０】
この閾値は、例えば周囲音量検出センサ２６から出力される検出結果のある時点の瞬時値に対し、所定の係数を乗算することによって算出される。閾値の算出方法はこの方法に限られる訳ではなく、周囲音量検出センサ２６から出力される検出結果の平均値や実効値を用いて算出しても良い。尚、詳細は後述するが、制御部２７は、外部スピーカ２５から出力される音声の音量が閾値算出部２７ｂで算出された閾値よりも大きくなるように音量変更制御を行う。
【００２１】
音声認識部２７ｃは、マイクロフォン１７から入力される音声を認識する処理を行う。尚、詳細は後述するが、音声認識部２７ｃによって認識された音声に特定の音声（例えば、「助けて」）が含まれている場合には、外部スピーカ２５から出力される音声の増幅率を最大に設定する制御が制御部２７によって行われ、これにより外部スピーカ２５から出力すべき音声の音量が最大に設定される。
【００２２】
尚、制御部２７は、周囲音量検出センサ２６から出力される検出結果が、予め設定された値（上限閾値）を超えた場合には、外部スピーカ２５からの音声出力を停止することによって音声の音量を零にする。ここで、上限閾値は、擬似通話が自然と感じられる音量の上限値である。つまり、上限閾値で規定される音量よりも大きな音量を有する音声が携帯電話機１から出力されると、擬似通話が不自然になるため制御部２７は音声の音量を零にする制御を行う。また、制御部２７は、ユーザがキー操作部１６を操作して特定の指示を行った場合には、音声認識部２７ｃで認識された音声に特定の音声が含まれる場合と同様に、外部スピーカ２５から出力すべき音声の音量を最大に設定する制御を行う。
【００２３】
次に、上記構成における携帯電話機１の動作について説明する。図３は、携帯電話機１の第１動作例を示すフローチャートである。図３に示す処理は、携帯電話機１のユーザが携帯電話機１のキー操作部１６に設けられた通話キー１６ｂを操作して擬似通話機能を動作させる指示を行った場合に開始される。図３に示す処理が開始されると、まず制御部２７の制御の下で、擬似通話を開始させるための擬似通話開始処理が擬似通話部２７ａで行われる（ステップＳ１１）。具体的には、メモリ２４に記憶されている音声データのうちから読み出しを開始する音声データを特定する処理が行われる。
【００２４】
擬似通話開始処理が終了すると、周囲音量検出センサ２６によって携帯電話機１の周囲の音量を検出する処理が行われる（ステップＳ１２：音量検出ステップ）。この処理で得られた周囲音量検出センサ２６の検出結果は、制御部２７の閾値算出部２７ｂに入力され、音量変更制御に用いられる閾値が算出される（ステップＳ１３）。例えば、周囲音量検出センサ２６から順次出力される検出結果のうち、最初に入力される検出結果、又はある時点で入力される検出結果を用いて閾値が算出される。
【００２５】
以上の処理が終了すると、擬似通話で用いられる質問を出力する処理が行われる（ステップＳ１４）。具体的には、ステップＳ１１で特定された音声データが擬似通話部２７ａによって読み出され、読み出された音声データがアナログ信号に変換されてスピーカ１５に出力される処理が行われる。これにより、携帯電話機１のユーザには、読み出された音声データに応じた質問が発せられることになる。
【００２６】
次に、制御部２７は、ユーザの音声入力の有無を判断する（ステップＳ１５）。即ち、ステップＳ１４で発せられた質問に対する返答の有無を判断する。具体的に、ユーザの音声入力の有無の判断は、マイクロフォン１７から所定のレベル以上の信号が入力されたか否かを判断することによって行われる。ステップＳ１５の判断結果が「ＮＯ」である場合には、ステップＳ１５の処理が繰り返される。
【００２７】
これに対し、携帯電話機１のユーザから音声が発せられると、ステップＳ１５の判断結果が「ＹＥＳ」になり、ステップＳ１３で算出された閾値に基づいて、マイクロフォン１７から入力された音声が増幅され（ステップＳ１６：音量変更ステップ）、増幅された音声が外部スピーカ２５から出力される（ステップＳ１７：出力ステップ）。以上の処理によって、携帯電話機１の周囲の音量に応じて増幅されたユーザの音声が外部スピーカ２５から出力されるため、ユーザの音声が携帯電話機１の周囲の雑音等によって掻き消されることを防ぐことができる。
【００２８】
以上の処理が終了すると、制御部２７は、携帯電話機１のユーザによって擬似通話を終了すべき旨の操作がなされたか否かを判断する（ステップＳ１８）。ステップＳ１８の判断結果が「ＮＯ」である場合には、制御部２７は擬似通話部２７ａを制御して次の音声データをメモリ２４から読み出させ、携帯電話機１のユーザに対して次の問い合わせを行わせる（ステップＳ１４）。これに対し、ステップＳ１８の判断結果が「ＹＥＳ」である場合には、制御部２７は擬似通話部２７ａを制御して、擬似通話を終了させるための擬似通話終了処理を行わせる（ステップＳ１９）。擬似通話部２７ａにおける擬似通話終了処理が終了すると、図３に示す一連の処理は終了する。
【００２９】
図４は、携帯電話機１の第２動作例を示すフローチャートである。以上説明した第１動作例は、擬似通話開始時に一度だけ周囲の音量を検出し、その検出結果を用いて得られた閾値に基づいてそれ以降の音量を変更するものであった。これに対し、本動作例は、定期的に周囲の音量を検出し、その都度得られる検出結果に基づいて音量変更制御を行うものである。
【００３０】
図４に示す処理は、図３に示す処理と同様に、携帯電話機１のユーザが携帯電話機１のキー操作部１６に設けられた通話キー１６ｂを操作して擬似通話機能を動作させる指示を行った場合に開始される。図４に示す処理が開始されると、まず制御部２７の制御の下で、擬似通話を開始させるための擬似通話開始処理が擬似通話部２７ａで行われ（ステップＳ２１）、次いで周囲音量検出センサ２６によって携帯電話機１の周囲の音量が検出される（ステップＳ２２：音量検出ステップ）。
【００３１】
次に、ステップＳ２２の検出結果が予め設定された上限閾値を超えているか否かが制御部２７で判断される（ステップＳ２３）。この判断結果が「ＹＥＳ」である場合には、制御部２７は、外部スピーカ２５からの音声の出力を停止する（ステップＳ２４）。これに対し、ステップＳ２３の判断結果が「ＮＯ」である場合には、閾値算出部２７ｂによって基準音量が算出される（ステップＳ２５）。ここで、上記の基準音量は、周囲の音量に対する音量の加算分を示すものであって、ステップＳ２２で検出された周囲音量検出センサ２６の検出結果に対して所定の係数を乗算して得られるものである。
【００３２】
以上の処理が終了すると、メモリ２４に記憶された音声データが読み出され、スピーカ１５から擬似通話で用いられる質問を出力する処理が行われる（ステップＳ２６）。かかる処理によって、読み出された音声データに応じた質問が携帯電話機１のユーザに発せられると、制御部２７によってユーザの音声入力の有無が判断される（ステップＳ２７）。この判断結果が「ＮＯ」である場合には、ステップＳ２７の処理が繰り返される。
【００３３】
これに対し、携帯電話機１のユーザから音声が発せられると、ステップＳ２７の判断結果が「ＹＥＳ」になり、ステップＳ２５で算出された基準音量の分だけ音量が加算されたユーザの音声が外部スピーカ２５から出力される（ステップＳ２８：音量変更ステップ、出力ステップ）。これにより、周囲の音量よりも基準音量の分だけ大きな音量を有するユーザの音声が外部スピーカ２５から出力されるため、ユーザの音声が携帯電話機１の周囲の雑音等によって掻き消されることを防ぐことができる。
【００３４】
以上の処理が終了すると、制御部２７は、携帯電話機１のユーザによって擬似通話を終了すべき旨の操作がなされたか否かを判断する（ステップＳ２９）。ステップＳ２９の判断結果が「ＮＯ」である場合には、周囲音量検出センサ２６によって携帯電話機１の周囲の音量が再び検出される（ステップＳ２２）。これに対し、ステップＳ２９の判断結果が「ＹＥＳ」である場合には、制御部２７は擬似通話部２７ａを制御して、擬似通話を終了させるための擬似通話終了処理を行わせる（ステップＳ３０）。擬似通話部２７ａにおける擬似通話終了処理が終了すると、図３に示す一連の処理は終了する。
【００３５】
図５は、第２動作例における外部スピーカ２５の音量の経時変化の一例を示す図である。尚、図５においては、縦軸に音量をとり、縦軸に時間をとっている。図５において、符号Ｑ１を付したグラフはマイクロフォン１７から入力される音量（ユーザの音声の音量）の経時変化を示すグラフである。いま、理解を容易にするために、携帯電話機１の周囲の音量が直線的に徐々に大きくなる場合を考える。
【００３６】
図４に示す処理では、ステップＳ２２において周囲の音量が定期的に検出されるため、ステップＳ２５で算出される基準音量も定期的に更新される。ここで、前述した通り、基準音量は周囲の音量に対する音量の加算分を示すものであるため、携帯電話機１の周囲の音量が直線的に徐々に大きくなると基準音量も直線的に徐々に大きくなる（図５中の直線ＳＬ参照）。
【００３７】
図４中におけるステップＳ２８で、ユーザの音声は基準音量の分だけ音量が加算されて外部スピーカ２５から出力される。このため、外部スピーカ２５の音量は、図５中において符号Ｑ２を付したグラフの通り、基準音量の増大に従って増大することになる。これにより、周囲の音量が以前より増大したとしても、ユーザの音声が携帯電話機１の周囲の雑音等によって掻き消されることを防ぐことができる。
【００３８】
しかしながら、上限閾値ＴＨで規定される音量よりも大きな音量を有する音声が携帯電話機１から出力されると、擬似通話が不自然になってしまう。このため、図４中のステップＳ２４の処理にて周囲音量検出センサ２６の検出結果が上限閾値ＴＨを超えた場合には、外部スピーカ２５からの音声の出力を停止し、図５に示す通り上限閾値ＴＨよりも大きな音量の音声が出力されるのを防止することとしている。
【００３９】
図６は、携帯電話機１の第３動作例を示すフローチャートである。本動作例は、ユーザによって発せられた音声を認識し、認識した音声に特定の音声が含まれる場合に外部スピーカ２５の音量を最大に設定する処理を、前述した第１動作例に追加したものである。このため、図６においては、図３に示した処理と同様の処理が行われるステップには同一の符号を付しており、それらのステップについては詳細な説明を省略して簡単に説明することとする。尚、音声認識結果に応じて外部スピーカ２５の音量を最大に設定する処理は、、第２動作例に対しても追加することが可能である。
【００４０】
携帯電話機１のユーザが携帯電話機１のキー操作部１６に設けられた通話キー１６ｂを操作して擬似通話機能を動作させる指示を行うと、図６に示す処理が開始される。処理が開始されると、擬似通話部２７ａにおける擬似通話開始処理（ステップＳ１１）、周囲音量検出センサ２６によって携帯電話機１の周囲の音量を検出する処理（ステップＳ１２）、閾値算出部２７ｂにおける閾値算出処理（ステップＳ１３）、及び携帯電話機１のユーザに対する擬似通話の質問を出力する処理（ステップＳ１４）が順次行われる。
【００４１】
以上の処理が終了すると、制御部２７によって、ユーザの音声が入力されたか否かが判断される（ステップＳ１５）。この判断結果が「ＮＯ」である場合には、ステップＳ１５の処理が繰り返される。これに対し、ステップＳ１５の判断結果が「ＹＥＳ」である場合には、音声認識部２７ｃによって、入力されたユーザの音声に対する音声認識処理が行われる（ステップＳ３１）。
【００４２】
次に、制御部２７は、音声認識部２７ｃで認識された音声に特定の音声（例えば「助けて」）が含まれているか否かを判断する（ステップＳ３２）。特定音声が含まれていると判断した場合（判断結果が「ＹＥＳ」の場合）には、制御部２７は、外部スピーカ２５から出力される音声の増幅率を最大に設定する制御を行う。これにより外部スピーカ２５から出力すべき音声の音量が最大に設定される（ステップＳ３３）。一方、ステップＳ３２の判断結果が「ＮＯ」である場合には、ステップＳ１３で算出された閾値に基づいて、マイクロフォン１７から入力された音声が増幅される（ステップＳ１６）。
【００４３】
そして、外部スピーカ２５から音声が出力される（ステップＳ１７）。具体的に、ステップＳ３２の判断結果が「ＹＥＳ」である場合にはユーザの音声が最大音量で外部スピーカ２５から出力され、ステップＳ３２の判断結果が「ＮＯ」である場合にはステップＳ１６で増幅された音声が外部スピーカ２５から出力される。以上の処理が終了すると、制御部２７によって、携帯電話機１のユーザにより擬似通話を終了すべき旨の操作がなされたか否かが判断される（ステップＳ１８）。この判断結果が「ＮＯ」である場合には携帯電話機１のユーザに対する次の問い合わせが行われ（ステップＳ１４）、判断結果が「ＹＥＳ」である場合には擬似通話を終了させるための擬似通話終了処理が行われる（ステップＳ１９）。擬似通話部２７ａにおける擬似通話終了処理が終了すると、図６に示す一連の処理は終了する。
【００４４】
以上説明した通り、本実施形態によれば、携帯電話機１の周囲の音量を周囲音量検出センサ２６で検出し、この検出結果に基づいて制御部２７が外部スピーカ２５から出力される音声の音量を変更しており、擬似通話時における音声が周囲の状況に適した音量で出力される。これにより、擬似通話時における音声が騒音に掻き消されることなく、第三者に携帯電話機１を用いて何らかの通話を行っていることを知らしめることができるため、防犯効果を高めることができる。
【００４５】
また、本実施形態では、周囲音量検出センサ２６の検出結果が上限閾値ＴＨを超えた場合には、外部スピーカ２５からの音声の出力を停止し、外部スピーカ２５から発せられる音声の音量を零にする制御を行っている。このため、第三者が不自然と感ずるような音量で擬似通話時の音声が携帯電話機１から出力されるのを防止することができ、これによっても防犯効果を高めることができる。
【００４６】
以上、本発明の一実施形態による擬似通話装置及び方法について説明したが、本発明は上記実施形態に制限されず、本発明の範囲内で自由に変更が可能である。例えば、上記実施形態では、マイクロフォン１７から入力されたユーザの音声の音量のみを変更する例について説明した。しかしながら、擬似通話時にスピーカ１５からユーザに対して発せられる質問内容を、ユーザの音声とともに外部スピーカ２５から出力するようにし、これらの音量を周囲の音量に応じて変更しても良い。
【符号の説明】
【００４７】
１６      キー操作部
１７      マイクロフォン
２５      外部スピーカ
２６      周囲音量検出センサ
２７      制御部
２７ｂ    閾値算出部
２７ｃ    音声認識部
【図１】
2011009943.tif 000003
【図２】
2011009943.tif 000004
【図３】
2011009943.tif 000005
【図４】
2011009943.tif 000006
【図５】
2011009943.tif 000007
【図６】
2011009943.tif 000008